(57)【要約】      （修正有）【課題】通信ネットワークに接続状態の複数の電子情報処理端末の間でＩＰ電話による通話が可能な電話システムにおいて有用な携帯電話器を提供する。【解決手段】携帯電話器１は、ＩＰ電話用の動作プログラムを記憶した記憶装置２と、動作プログラムの動作指令信号を入力するための操作部３と、通話音声を入力するための音声入力部４と、通話音声を出力するための音声出力部５と、音声入力部４から入力された通話音声を通話デジタル信号に変換し、かつ、通話相手先からの通話デジタル信号を音声出力部５から出力する通話音声に変換するための信号変換部６と、電子情報処理端末との間で信号を送受信するための、電子情報処理端末に対して接続可能な接続部７とを備えている。記憶装置２は、接続部７を電子情報処理端末に対して接続したときに、電子情報処理端末と連動する。【選択図】        図１
2006270252.tif 000002
【特許請求の範囲】
【請求項１】
通信ネットワークに接続状態の複数の電子情報処理端末の間で前記通信ネットワークの通信プロトコルを利用した通話デジタル信号の送受信による通話が可能な電話システム用の携帯電話器であって、
前記電話システム用の動作プログラムを記憶した読出専用記憶領域を有する記憶手段と、
前記動作プログラムの動作指令信号を入力するための操作部と、
通話音声を入力するための音声入力部と、
通話音声を出力するための音声出力部と、
前記音声入力部から入力された前記通話音声を前記通話デジタル信号に変換し、かつ、前記通話デジタル信号を前記音声出力部から出力する前記通話音声に変換するための信号変換部と、
前記電子情報処理端末との間で信号を送受信するための、前記電子情報処理端末に対して接続可能な通信手段とを備え、
前記記憶手段は、前記通信手段を前記電子情報処理装置に対して接続したときに、前記電子情報処理端末と連動する、
携帯電話器。
【請求項２】
前記記憶手段は、前記電話システム用の通信データを記憶可能な書換可能記憶領域をさらに有している、請求項１に記載の携帯電話器。
【請求項３】
前記通信手段がＵＳＢインターフェイスである、請求項１または２に記載の携帯電話器。
【発明の詳細な説明】
【技術分野】
【０００１】
本発明は、携帯電話器、特に、通信ネットワークに接続状態の複数の電子情報処理端末の間で当該通信ネットワークの通信プロトコルを利用した通話デジタル信号の送受信による通話が可能な電話システム用の携帯電話器に関する。
【背景技術】
【０００２】
パーソナルコンピュータ（パソコン）の普及と高速インターネット技術の発達を受け、ＩＰ（Internet Protocol）を利用した新概念の電話システムが開発され、普及しつつある。この種の電話システムは、一般にＩＰ電話と言われ、インターネットを経由した音声通話を実現したものであり、サーバを必要としないＰ２Ｐ（ピア・ツー・ピア）により通話を可能としたものも提供されている（非特許文献１）。
【０００３】
ところで、基本的なＩＰ電話は、ＩＰ電話用のプログラム（例えば、非特許文献１に記載の「スカイプ」）、音声入力装置および音声出力装置を備えかつインターネットに接続可能なパソコンを必要としている。ＩＰ電話により通話をする場合は、電話の発信側と着信側との両方のパソコンを光通信回線やＡＤＳＬ（Asymmetric Digital Subscriber Line）などの高速通信回線を通じてインターネットに接続した状態に設定し、発信側のパソコンから着信側のＩＰアドレスを指定する。これにより、着信側のパソコンには発信側パソコンから呼出信号が送信され、着信側のパソコンが当該呼出信号に応答すると、発信側パソコンと着信側パソコンとが電話接続状態になる。この状態で、発信側または着信側のパソコンにおいて、音声入力装置を通じて入力された通話者の音声信号（アナログ信号）は、デジタル信号（通話デジタル信号）に変換され、インターネットを通じて相手側パソコンに伝達される。通話デジタル信号を受信した相手側パソコンは、通話デジタル信号を音声信号に変換し、音声出力装置から音声として出力する。
【０００４】
このようなＩＰ電話は、発信側および着信側のパソコンが高速通信回線を通じてインターネットに接続されている必要があるため、パソコンを設置した地点間の電話通信において有用である。しかし、移動先でもＩＰ電話を利用したい場合は、インターネットに接続可能なパソコンそのものを携帯する必要があり、携帯電話のような利便性を欠く。
【０００５】
本発明の目的は、ＩＰ電話のような、通信ネットワークに接続状態の複数の電子情報処理端末の間で当該通信ネットワークの通信プロトコルを利用した通話デジタル信号の送受信による通話が可能な電話システムにおいて有用な携帯電話器を実現することにある。
【０００６】
【非特許文献１】株式会社ライブドア「スカイプの概要」、［平成１７年３月１５日検索］、インターネット＜ＵＲＬ：http://skype.livedoor.com/outline/＞
【発明の開示】
【課題を解決するための手段】
【０００７】
本発明に係る携帯電話器は、通信ネットワークに接続状態の複数の電子情報処理端末の間で当該通信ネットワークの通信プロトコルを利用した通話デジタル信号の送受信による通話が可能な電話システム用のものであり、電話システム用の動作プログラムを記憶した読出専用記憶領域を有する記憶手段と、動作プログラムの動作指令信号を入力するための操作部と、通話音声を入力するための音声入力部と、通話音声を出力するための音声出力部と、音声入力部から入力された通話音声を通話デジタル信号に変換し、かつ、通話デジタル信号を音声出力部から出力する通話音声に変換するための信号変換部と、電子情報処理端末との間で信号を送受信するための、電子情報処理端末に対して接続可能な通信手段とを備えている。ここで、記憶手段は、通信手段を電子情報処理装置に対して接続したときに、電子情報処理端末と連動する。
【０００８】
この携帯電話器は、通信手段を電子情報処理端末と接続していない状態において、携帯することができる。そして、通信ネットワークに接続状態の電子情報処理端末（ここでは、便宜上、単に「電子情報処理端末」という）に対して通信手段を接続すると、記憶手段が電子情報処理端末と連動する。これにより、電子情報処理端末において動作プログラムが起動し、電子情報処理端末は、当該動作プログラムに基づいて作動する。ここで、操作部より動作指令信号、例えば通話先を指定した呼出信号を入力すると、電子情報処理端末は、通信ネットワークを通じて指定された通話先の電子情報処理端末（ここでは、便宜上、「通話先電子情報処理端末」という）に対して呼出信号を発信する。そして、通話先電子情報処理端末が当該呼出信号に応じれば、電子情報処理端末と通話先電子情報処理端末との間に通信状態を確立する。
【０００９】
この状態で音声入力部に入力した通話音声（アナログ信号）は、信号変換部において通話デジタル信号に変換され、通信手段を通じて電子情報処理端末に伝達される。伝達された通話デジタル信号は、電子情報処理端末において動作プログラムに基づいて処理され、通信ネットワークを経由して通話先電子情報処理端末に伝達される。また、通話先電子情報処理端末において入力された音声信号に対応する通話デジタル信号は、通信ネットワークを経由して電子情報処理端末に伝達され、動作プロクラムに基づいて処理される。そして、処理された当該通話デジタル信号は、通信手段を通じて信号変換部に伝達され、通話音声（アナログ信号）に変換されて音声出力部から出力される。これにより、携帯電話器と通話先電子情報処理端末との間での音声通話が可能になる。
【００１０】
また、この携帯電話器は、通信ネットワークに接続状態の電子情報処理端末に通信手段が接続した状態であれば、他の電子情報処理端末からの同じ電話システムによる呼び出しに応答することができる。この場合、電子情報処理端末は、動作プログラムに基づいて、他の電子情報処理端末から携帯電話器の識別情報を指定した呼出信号を受信する。呼出信号を受信した電子情報処理端末は、動作プログラムに基づいて、他の電子情報処理端末との間に通信状態を確立する。これにより、音声入力部に入力した通話音声および他の電子情報処理端末からの通話デジタル信号は、上述の場合と同様に処理され、他の電子情報処理端末と携帯電話器との間で音声通話が可能になる。
【００１１】
本発明の携帯電話器において、記憶手段は、例えば、電話システム用の通信データを記憶可能な書換可能記憶領域をさらに有していてもよい。この場合、例えば、携帯電話器のアカウントデータ、発信履歴データおよび着信履歴データ並びに電話帳データなどを書換可能記憶領域に記録しておくと、当該書換可能記憶領域に記録した情報を電子情報処理端末に伝達することができるため、操作部による動作指令信号の入力を簡素化することができ、携帯電話器の利便性をより高めることができる。
【００１２】
また、本発明の携帯電話器において用いられる通信手段は、例えば、ＵＳＢインターフェイスである。
【発明の効果】
【００１３】
本発明の携帯電話器は、電子情報処理端末から分離して携帯することができ、また、携帯先で通信ネットワークに接続状態の電子情報処理端末に接続すれば、ＩＰ電話のような、通信ネットワークの通信プロトコルを利用した通話デジタル信号の送受信による通話が可能な電話システムによる通話をすることができる。
【発明を実施するための最良の形態】
【００１４】
図１を参照して、本発明の実施の一形態に係る携帯電話器の概略構成を説明する。図において、携帯電話器１は、記憶装置２、操作部３、音声入力部４、音声出力部５、信号変換部６および接続部７（通信手段の一例）を主に備えている。この携帯電話器１は、後述する電子情報処理端末に接続して用いられる。
【００１５】
記憶装置２は、読出専用記憶領域（ＲＯＭ）２０および書換可能記憶領域（ＲＡＭ）２１を主に備えている。読出専用記憶領域２１は、インターネット（通信ネットワークの一例）に接続状態の複数の電子情報処理端末の間でインターネットプロトコル（通信プロトコルの一例）を利用した通話が可能な電話システム（すなわちＩＰ電話システム）用の動作プログラム（以下、「電話プログラム」という）を電子データとして記憶したものである。電話プログラムは、例えば、上記非特許文献１に記載の「スカイプ」である。書換可能記憶領域２２は、操作部３による入力を支援するための各種の通信データ、例えば、ＩＰ電話用のアカウントデータ、電話帳データ、発信履歴データおよび着信履歴データなどを電子データとして記憶するためのものである。
【００１６】
操作部３は、電子情報処理端末に対して電話プログラムの動作指令信号を入力するためのものであり、通話先の識別情報を入力するためのテンキーおよび十字カーソルなどを備えている。
【００１７】
音声入力部４は、通話者の声（音声）を入力するためのものであり、通常は小型マイクである。また、音声出力部５は、通話の相手先の声（音声）を出力するためのものであり、通常は小型スピーカーである。
【００１８】
信号変換部６は、音声入力部４から入力された通話音声（アナログ信号）を電子情報処理端末において処理可能な通話デジタル信号に変換し、また、通話の相手先からの通話デジタル信号を音声出力部５から通話音声（アナログ信号）として出力するために、電子情報処理端末からの当該通話デジタル信号を通話音声に変換するためのものである。
【００１９】
接続部７は、記憶装置２、操作部３および信号変換部６と接続されており、これらの各部と電子情報処理端末との間で信号を送受信するためのインターフェイスとして機能するものである。この接続部７は、例えばＵＳＢ（Universal Serial Bus）インターフェイスであり、電子情報処理末端側のＵＳＢインターフェイスと接続するためのＵＳＢケーブル８を備えている。
【００２０】
この携帯電話器１において、記憶装置２は、ＵＳＢケーブル８を電子情報処理端末に接続したときに、電子情報処理端末側のＯＳ（オペレーションシステム）が有するオートラン機能を受けて電子情報処理端末と連動する。より具体的には、読出専用記憶領域２０に記憶された電話プログラムは、上記オートラン機能により、電子情報処理端末において自動的に起動する。また、書換可能記憶領域２２は、携帯電話器１を電子情報処理端末に対して接続したときに、当該電子情報処理端末のリムーバブルディスク（外部記憶装置）として起動する。
【００２１】
次に、上述の携帯電話器１の使用方法および動作を説明する。
携帯電話器１は、図２に示すように、光通信回線やＡＤＳＬのような高速通信回線によりインターネット３０に接続状態の複数の電子情報処理端末３１，３２の間でＩＰ電話システムによる通話をするために用いられる。電子情報処理端末３１，３２は、例えば、パーソナルコンピュータ、ＰＤＡ（Personal Digital Assistants：個人用情報機器）と称される携帯型端末若しくはゲーム端末機などである。
【００２２】
携帯電話器１の利用者（以下、単に「利用者」という）がＩＰ電話システムによる通話をする場合は、携帯電話器１のＵＳＢケーブル８を身近な電子情報処理端末３１のＵＳＢインターフェイスに接続する。この実施の形態では、図２に示す一方の電子情報処理端末３１（以下、「被利用電子情報処理端末３１」という）に携帯電話器１を接続するものとする。被利用電子情報処理端末３１は、通常、そのＯＳ（オペレーションシステム）がＵＳＢインターフェイスに接続された外部記憶装置のドライバ機能を有するもの、特に、ＣＤ−ＲＯＭ等の読出専用記録媒体の記録データを自動的に読み取るためのオートラン機能と、フラッシュメモリのような外部接続方式の書換可能記録媒体との間で情報の記録・読取をする機能（以下、「アクセス機能」という）とを有するものである。
【００２３】
なお、図２において、携帯電話器１の通話相手先となる他方の電子情報処理端末３２（以下、「相手先電子情報処理端末３２」という）は、音声の入出力装置を備えておりかつＩＰ電話プログラムを有し、ＩＰ電話による通話が可能なシステム環境を有しているものとする。
【００２４】
図３を参照して、携帯電話器１の動作を説明する。
被利用電子情報処理端末３１のＵＳＢインターフェイスに対し、携帯電話器１のＵＳＢケーブル８を接続すると、被利用電子情報処理端末３１のオートラン機能が作動する。これにより、被利用電子情報処理端末３１は、携帯電話器１の読出専用記憶領域２０に記憶された電話プログラムを起動する（ステップＳ１）。また、被利用電子情報処理端末３１は、携帯電話器１の書換可能記憶領域２２に記録された電話帳データなどの通信データをアクセス機能により読出し、当該通信データをディスプレイ上に表示する。
【００２５】
次に、被利用電子情報処理端末３１において起動した電話プログラムは、ステップＳ２に移行し、このステップおいて、携帯電話器１から通話相手先の呼出操作がされたか否か、具体的には、操作部３において通話相手先の電話番号（例えば、ＩＰアドレスやＵＩＤ（利用者識別情報）など）が入力された否かを判断する。利用者が操作部３において呼出操作をしない場合、電話プログラムはステップＳ３に移行し、他者からの通話呼出信号の着信があるか否かを判断する。他者からの通話呼出信号の着信がない場合、電話プログラムは、ステップＳ３からステップＳ２に戻り、ステップＳ２およびステップＳ３の判断を繰り返す。
【００２６】
利用者が特定の通話相手先（ここでは、相手先電子情報処理端末３２の利用者）との通話をするために操作部３において当該通話相手先の電話番号を入力した場合、電話プログラムは、ステップＳ２からステップＳ４に移行し、通話者が入力した電話番号に対応する通話相手先の呼出信号を利用者のＩＰ電話用アカウント信号と共に発信する。ここで、電話番号の指定は、操作部３のテンキーから直接に入力して指定することもできるし、被利用電子情報処理端末３１のディスプレイに表示された、書換可能記憶領域２２から読み出した電話帳データ、発信履歴データ若しくは着信履歴データを操作部３の十字カーソルで選択して指定することもできる。ここで指定された電話番号は、アクセス機能により、発信履歴データとして書換可能記憶領域２２に記録される。
【００２７】
電話プログラムは、次のステップＳ５において、相手先電子情報処理端末３２に呼出信号が着信し、ＩＰ電話による通話可能状態が成立したか否かを判断する。通話可能状態が成立しない場合（相手先電子情報処理端末３２において、呼出信号に対する応答処理がされない場合）、電話プログラムは、ステップＳ５からステップＳ６に移行し、利用者が操作部３において呼出中止操作を実行したか否かを判断する。ここで、呼出中止操作が実行されない場合、電話プログラムは、ステップＳ５に戻り、通話相手先との通話可能状態が成立するのを待つ。また、呼出中止操作が実行された場合、電話プログラムは、ステップＳ２に戻り、ステップＳ２およびステップＳ３の判断を繰り返す。
【００２８】
一方、相手先電子情報処理端末３２において呼出信号に対する応答処理がされ、電話プログラムがステップＳ５において通話可能状態が成立したと判断した場合、電話プログラムは、相手先との通話可能状態を維持する。これにより、利用者は、相手先との間で音声による通話が可能になる。ここで、通話者が音声入力部４に入力した通話音声は、信号変換部６において通話デジタル信号に変換されて被利用電子情報処理端末３１に伝達され、被利用電子情報処理端末３１において処理される。この通話デジタル信号は、電子情報処理端末３１からインターネット３０を経由して相手先電子情報処理端末３２へ伝達され、相手方電子情報処理端末３２において通話音声として出力される。また、相手先からの通話音声は、相手先電子情報処理端末３２において通話デジタル信号に変換され、インターネット３０を経由して被利用電子情報処理端末３１に伝達される。被利用電子情報処理端末３１に伝達された通話デジタル信号は、被利用電子情報処理端末３１において処理されて信号変換部６に伝達され、そこでアナログデータ（通話音声）に変換されて音声出力部５から音声として出力される。
【００２９】
ステップＳ５の後、電話プログラムは、ステップＳ７において、通話者が操作部３において通信の切断操作を実行したか否かを判断する。通話者が当該操作を実行しない場合、電話プログラムは通話成立状態を維持する。すなわち、電話プログラムは、携帯電話器１と相手先電子情報処理端末３２とのＩＰ電話による通話を維持する。一方、通話の終了により、利用者が操作部３において通話の切断操作を実行すると、電話プログラムは、ステップＳ８において通話相手先との通信切断作業を実行し、ステップＳ２に戻る。ステップＳ２に戻った電話プログラムは、ステップＳ２およびステップＳ３の判断を繰り返す。
【００３０】
電話プログラムがステップＳ２とステップＳ３との判断を繰り返している状態の場合において、被利用電子情報処理端末３１が相手先電子情報処理端末３２からインターネット３０を経由して電話の呼出信号を受信した場合、電話プログラムは、ステップＳ３からステップＳ９に移行し、音声出力部５から呼出音を出力するなどの呼出処理を実行する。また、同時に、当該呼出信号の発信元情報は、被利用電子情報処理端末３１のアクセス機能により、書換可能記憶領域２２において着信履歴データとして記録される。
【００３１】
続くステップＳ１０において、電話プログラムは、利用者が操作部３において呼出に対する応答拒否操作をしたか否かを判断する。利用者が応答拒否操作をした場合、電話プログラムはステップＳ２に戻り、ステップＳ２およびステップＳ３の判断を繰り返す。また、利用者が応答拒否操作をしない場合、電話プログラムはステップＳ１０からステップＳ１１に移行し、相手先が呼出中止処理を実行したが否かを判断する。相手先が呼出中止処理を実行した場合、電話プログラムは、ステップＳ２に戻り、ステップＳ２およびステップＳ３の判断を繰り返す。
【００３２】
相手先が呼出中止処理を実行しない場合、電話プログラムはステップＳ１１からステップＳ１２に移行し、利用者が操作部３において応答操作を実行したか否かを判断する。利用者が応答操作をしない場合、電話プログラムは、ステップＳ１０に戻り、ステップＳ１０、ステップＳ１１およびステップＳ１２の判断を繰り返す。一方、利用者が応答操作を実行した場合、電話プログラムは、相手先との通話可能状態を成立させ、これを維持する。これにより、利用者は、携帯電話器１と相手先電子情報処理端末３２との間で音声による通話が可能になる。
【００３３】
ステップＳ１２の後、電話プログラムは、ステップＳ７に移行し、当該ステップにおいて、利用者が操作部３において通信の切断操作を実行したか否かを判断する。利用者が当該操作を実行しない場合、電話プログラムは通話可能状態を維持する。すなわち、電話プログラムは、携帯電話器１と相手先電子情報処理端末３２とのＩＰ電話による通話を維持する。一方、通話の終了により、通話者が操作部３において通話の切断操作を実行すると、電話プログラムは、ステップＳ８において通話相手先との通信切断作業を実行してステップＳ２に戻り、ステップＳ２およびステップＳ３の判断を繰り返す。
【００３４】
以上のように、利用者は、高速通信回線によりインターネット３０に接続状態の被利用電子情報処理端末３１に対して携帯電話器１を接続すれば、ＩＰ電話システムに対応した相手先との間でＩＰ電話による通話が可能になる。ここで、携帯電話器１は、その記憶装置２の読出専用記憶領域２０に電話プログラムを記憶しており、また、被利用電子情報処理端末３１は当該電話プログラムに基づいて動作するため、相手先への呼出通話時および相手先からの着信通話時のいずれにおいても、被利用電子情報処理端末３１のシステム（例えばレジストリ）や記憶装置（メモリやハードディスク）に影響を与えず、これらの状態を実質的に改変しない。
【００３５】
このため、利用者は、携帯電話器１のみを携帯すれば、電子情報処理端末を携帯していなくても、高速通信回線によりインターネットに接続状態の他人の電子情報処理端末を借用することができれば、当該他人の電子情報処理端末のシステムや記憶装置に影響を与えずに、安心してＩＰ電話による通話をすることができる。
【００３６】
なお、携帯電話器１は、書換可能記憶領域２２が電子情報処理端末の外部記憶装置として機能するため、ＩＰ電話用のアカウントデータ、電話帳データ、発信履歴データおよび着信履歴データなどの、ＩＰ電話のために必要な各種の通信データは、これらの通信データを記録した電子情報処理端末（例えば、自己所有のパソコン）に対してＵＳＢケーブル８で接続すれば、当該電子情報処理端末から転写若しくは転送して読込むことができる。逆に、書換可能記憶領域２２に記録された各種の通信データは、電子情報処理端末自体の記録装置に転写若しくは転送することもできる。したがって、携帯電話器１は、書換可能記憶領域２２において、ＩＰ電話に必要な各種のデータや情報の更新や入替えが可能なため、複数人で共用することもできる。
【００３７】
［変形例］
（１）上述の実施の形態では、携帯電話器１をインターネットによるＩＰ電話のために用いているが、携帯電話器１は、読出専用記憶領域２１の動作プログラムおよび書換可能記憶領域２２の通信データを変更すれば、他の通信ネットワーク（例えば、無線ＬＡＮ）での通信プロトコルを利用した電話システム用として用いることもできる。
【００３８】
（２）上述の実施の形態では、携帯電話器１と被利用電子情報処理端末３１との接続のための通信手段としてＵＳＢインターフェイスを用いているが、携帯電話器１は、他のインターフェイス、例えば、ＲＳ−２３２ＣやＩＥＥＥ１３９４などの有線インターフェイス若しくは無線インターフェイスにより、対応するインターフェイスを有する被利用電子情報処理端末に接続することもできる。
【図面の簡単な説明】
【００３９】
【図１】本発明の実施の一形態に係る携帯電話器の概略構成図。
【図２】前記携帯電話器による通話ネットワークの概念図。
【図３】前記携帯電話器に記録された電話プログラムの動作を示すフローチャート。
【符号の説明】
【００４０】
１  携帯電話器
２  記憶装置
３  操作部
４  音声入力部
５  音声出力部
６  信号変換部
７  接続部
２１  読出専用記憶領域
２２  書換可能記憶領域
【図１】
2006270252.tif 000003
【図２】
2006270252.tif 000004
【図３】
2006270252.tif 000005